(57)【要約】【課題】大型化を抑制しつつ設計の自由度を向上させる回転式操作装置を提供する。【解決手段】ダイヤルノブ１２と共に回転する歯車１４ａに連動して回転する従ギヤ１６の回転角を検出することで、歯車１４ａの回転角を検出する回転式操作装置において、歯車１４ａ及び従ギヤ１６の回転軸と直交するよう中間ギヤ１５を配置し、歯車１４ａ及び従ギヤ１６の対向する歯と、中間ギヤ１５の外周面とを噛み合わせ、歯車１４ａの回転を従ギヤ１６に伝達する。このとき、従ギヤ１６の回転軸１６ｂ、及び回転検出センサ２１は、ダイヤルノブ１２の回転面内においてダイヤルノブ１２の外径より内側に設けられるようにする。【選択図】図１
2010257774.tif 000002
【特許請求の範囲】
【請求項１】
回動操作体の回転角を検出する事により操作出力を得る回転式操作装置であって、
回動操作体と同軸に設けられた第１歯車と、
該第１歯車から１または複数の歯車を介して噛み合って回転する第２歯車と、
該第２歯車の回転角を検出することで前記第１歯車の回転角を検出する検出手段と
を備え、
該第２歯車の回転軸、及び前記検出手段は、
回動操作体の回転面内において回転操作部の外径より内側に設けられている
ことを特徴とする回転式操作装置。
【請求項２】
前記第２歯車は、
円盤状をなし、一の平面の周方向に沿って、歯筋が径方向となる複数の歯が形成されており、少なくとも一部の歯が前記第１歯車の歯と対向するように、回転軸を同方向にして前記第１歯車と平行配置されており、
回転軸が前記第１及び第２歯車の回転軸と直交し、前記第１及び第２歯車の歯と外周面で噛合する平歯車
をさらに備えることを特徴とする請求項１に記載の回転式操作装置。
【請求項３】
前記第２歯車は、
回転軸が前記第１歯車の回転軸と直交し、前記第１歯車と外周面で噛合する平歯車である
ことを特徴とする請求項１に記載の回転式操作装置。
【請求項４】
前記第１歯車、第２歯車、及び該二つの歯車と直交する回転軸を有する第３の歯車からなり、すべての歯車が、傘歯車からなる
ことを特徴とする請求項１記載の回転式操作装置。
【請求項５】
前記第１歯車と同軸に配され、前記第１歯車と一体に回動し、軸方向に沿って往復動可能としてある回動操作体と、
前記軸方向の一方向側に設けられ、該一方向側に移動された前記回動操作体の一部により押圧されるプッシュスイッチと、
前記回動操作体を前記軸方向の他方向側に弾性付勢する付勢手段と
をさらに備えることを特徴とする請求項１から４の何れか一つに記載の回転式操作装置。
【請求項６】
前記回動操作体は筒状をなし、
発光体と、
前記発光体が発する光を前記回動操作体内へ導く導光部材と、
該導光部材に導かれた光を前記回動操作体の外部へ透過させる透光部と
を備えることを特徴とする請求項５に記載の回転式操作装置。
【発明の詳細な説明】
【技術分野】
【０００１】
本発明は、回転操作する回転式操作装置に関する。
【背景技術】
【０００２】
例えば空調機器における温度又は風向等を調節するダイヤルスイッチは、回転可能なダイヤル部と、押圧可能なボタン部とが一体となって構成され、回転操作及び押圧操作等の複数の操作が可能なものがある。ダイヤルスイッチには、表面に光が透過可能に文字又は記号等が施されており、内側から光が照射されることで、これら文字等は、夜間でも視認可能となっている。このダイヤルスイッチでは、光源、ダイヤル部の回転を検出する回転センサ、ボタン部の押圧を検出するプッシュセンサ並びに、ダイヤル部及びボタン部を支持する部材等、複数の部品を必要とし、各部品が互いに干渉しないように設計する必要がある。
【０００３】
特許文献１では、回転センサは、ダイヤル部の回転中心上に設けられ、ダイヤル部とアームにより連結されており、アームを介してダイヤル部の回転を検出するようになっている。回転センサは、回路基板上に設けられるため、プッシュセンサ等、回路基板上の他の素子とアームとが接触しないよう、アームがブリッジ状となっている。これにより、アームが他の素子を跨ぐように回転し、アームと回路基板上の他の素子とが接触することを回避している。また、アームの回転を補助するために、回路基板上にアームの回転軌道に沿った切欠を形成し、その切欠にアームの一部を貫通させている。
【０００４】
また、特許文献２では、外周面に歯が形成されたダイヤル部と噛み合う歯車が設けられており、回転センサは、歯車の回転角を検出することで、ダイヤル部の回転を検出するようにしている。これにより、ダイヤル部の外側に回転センサ等を配置することができるため、ダイヤルスイッチの内側の空間を大きく確保でき、設計の自由度を向上させている。
【先行技術文献】
【特許文献】
【０００５】
【特許文献１】特開２００７−３５３０３号公報
【特許文献２】特開２００１−１８４９６９号公報
【発明の概要】
【発明が解決しようとする課題】
【０００６】
しかしながら、特許文献１の場合、回路基板に沿ってアームが回転するため、ダイヤル部の回転角度が制限され、またアームの動きを妨げないようにするため、設計が制限されるおそれがある。また、回路基板に切欠を形成することで、基板の強度が低下し、素子の実装面積及びパターン面積が減少する問題がある。特許文献２では、外側に配置することで、ダイヤルスイッチ自体が大型化するといった問題が発生する。
【０００７】
本発明はかかる事情に鑑みてなされたものであり、その目的とするところは、大型化を抑制しつつ設計の自由度を向上させる回転式操作装置を提供することにある。
【課題を解決するための手段】
【０００８】
本発明に係る回転式操作装置は、回動操作体の回転角を検出する事により操作出力を得る回転式操作装置であって、回動操作体と同軸に設けられた第１歯車と、該第１歯車から１または複数の歯車を介して噛み合って回転する第２歯車と、該第２歯車の回転角を検出することで前記第１歯車の回転角を検出する検出手段とを備え、該第２歯車の回転軸、及び前記検出手段は、回動操作体の回転面内において回転操作部の外径より内側に設けられていることを特徴とする。
【０００９】
本発明では、回転式操作装置は、回動操作体の回転角に応じて動作する。回動操作体と同軸に、第１歯車が設けられており、第１歯車から１または複数の歯車を介して噛み合って第２歯車が回転する。そして、第２歯車の回転角を検出することで、第１歯車の回転角を検出する。これにより、回動操作体の回転角を検出する。この第２歯車の回転軸、及び第２歯車の回転角を検出する検出手段は、回動操作体の回転面内において回転操作部の外径より内側に設けられている。これにより、第１歯車の周囲にスペースを確保することができる。例えば第１歯車がユーザにより回転操作され、第１歯車の回転角を直接的に検出する場合、第１歯車の回転軸にセンサを設置する必要がある。この場合、第１歯車の周辺はセンサによりスペースが占領され、他の部品等を配置することができなくなる。このため、第１歯車の回転角を直接的に検出せず、第２歯車を歯車に連動して回転させ、他の歯車の回転角を検出する構成とすることで、歯車の周囲にセンサを設けるスペースを確保する必要がなくなる。その結果、他の部品を自由に配置しやすくなり、装置内の設計の自由度が向上する。また、回転角を検出する第２歯車を小さくする、又は他の部品の配置に応じて第２歯車の設置場所を決定することで、装置の大型化を抑制することができる。
【００１０】
本発明に係る回転式操作装置は、前記第２歯車は、円盤状をなし、一の平面の周方向に沿って、歯筋が径方向となる複数の歯が形成されており、少なくとも一部の歯が前記第１歯車の歯と対向するように、回転軸を同方向にして前記第１歯車と平行配置されており、回転軸が前記第１及び第２歯車の回転軸と直交し、前記第１及び第２歯車の歯と外周面で噛合する平歯車をさらに備えることを特徴とする。
【００１１】
本発明では、第２歯車が第１歯車と同様の形状を有しており、第１及び第２歯車は平歯車を挟んで配置されている。これにより、第１歯車が回転することで、平歯車が回転し、平歯車の回転に連動して第２歯車が回転する。第１歯車の回転を、平歯車を介して第２歯車に伝達し、第２歯車の回転角を検出することで、第１歯車の回転角を検出する。これにより、第１歯車の周囲にスペースを確保することができる。また、第１歯車を回転軸方向に設置し、その間に平歯車を設置することで、小型化が可能となる。
【００１２】
本発明に係る回転式操作装置は、前記第２歯車は、回転軸が前記第１歯車の回転軸と直交し、前記第１歯車と外周面で噛合する平歯車であることを特徴とする。
【００１３】
本発明においては、第２歯車を略直角に設置することができる。その結果、歯車の上下方向にスペースを確保することができる。また、２つの歯車を直角に設置することで、縦横の両方向に大きくなることを抑制することができる。
【００１４】
本発明に係る回転式操作装置は、前記第１歯車、第２歯車、及び該二つの歯車と直交する回転軸を有する第３の歯車からなり、すべての歯車が、傘歯車からなることを特徴とする。
【００１５】
本発明では、全歯車を傘歯車とすることで、平歯車との対比において、噛み合わせをずれにくくすることができる。
【００１６】
本発明に係る回転式操作装置は、前記第１歯車と同軸に配され、前記第１歯車と一体に回動し、軸方向に沿って往復動可能としてある回動操作体と、前記軸方向の一方向側に設けられ、該一方向側に移動された前記回動操作体の一部により押圧されるプッシュスイッチと、前記回動操作体を前記軸方向の他方向側に弾性付勢する付勢手段とをさらに備えることを特徴とする。
【００１７】
本発明においては、回転式及び押圧式の２つのスイッチとして機能させることができる。
【００１８】
本発明に係る回転式操作装置は、前記回動操作体は筒状をなし、発光体と、前記発光体が発する光を前記回動操作体内へ導く導光部材と、該導光部材に導かれた光を前記回動操作体の外部へ透過させる透光部とを備えることを特徴とする。
【００１９】
本発明においては、操作装置内に発光体を設けて透光部から発光体の光を外部へ照射する。これにより、操作装置の一部が発光する視覚的効果をユーザに与えることができる。また、回動操作体を筒状とし、軸体を回動可能に保持する基板などに発光体を設け、軸体内を挿通する導光部材により発光体から回動操作体内へ光を導く構成とする。これにより、回動操作体と発光体とが離れている場合であっても、発光体の光を確実に回動操作体内へ導くことができる。回動操作体又はこの近傍に透光部を設けることで導光部材を介して得られる光を外部へ照射することができる。操作装置が発光する視覚的効果をユーザに与えることができるため、操作装置の美観を高めることができると共に、夜間などにおける操作装置の操作性を高めることができる。
【発明の効果】
【００２０】
本発明では、回転式操作装置は、第１歯車の回転角に応じて動作し、第１歯車は、円盤状をなし、一の平面の周方向に沿って、歯筋が径方向となる複数の歯が形成されている。そして、第１歯車の複数の歯と噛み合って回転する第２歯車の回転角を検出することで、第１歯車の回転角を検出する。これにより、第１歯車の周囲にスペースを確保することができる。例えば第１歯車がユーザにより回転操作され、第１歯車の回転角を直接的に検出する場合、第１歯車の回転軸にセンサを設置する必要がある。この場合、第１歯車の周辺はセンサによりスペースが占領され、他の部品等を配置することができなくなる。このため、第１歯車の回転角を直接的に検出せず、第２歯車を歯車に連動して回転させ、他の歯車の回転角を検出する構成とすることで、歯車の周囲にセンサを設けるスペースを確保する必要がなくなる。その結果、他の部品を自由に配置しやすくなり、装置内の設計の自由度が向上する。また、回転角を検出する第２歯車を小さくする、又は他の部品の配置に応じて第２歯車の設置場所を決定することで、装置の大型化を抑制することができる。
【図面の簡単な説明】
【００２１】
【図１】実施形態１に係る回転式操作装置の構造を示す側面断面図である。
【図２】実施形態１に係る回転式操作装置の構造を示す側面断面図である。
【図３】回転式操作装置が有するギヤのみを示す斜視図である。
【図４】回転式操作装置が有するギヤが傘歯車の場合を示す斜視図である
【図５】正面視した場合における回転式操作装置の一例を図であり、（ａ）は風向調節用、（ｂ）は風量調節用、（ｃ）は温度調節用の回転式操作装置を示す。
【図６】実施形態２に係る回転式操作装置の構造を示す側面断面図である。
【発明を実施するための形態】
【００２２】
以下、本発明に係る回転式操作装置について図面を参照して説明する。以下に説明する実施形態では、車両に搭載された空調機器を操作する回転式操作装置について説明する。
【００２３】
（実施形態１）
実施形態１に係る回転式操作装置は、車両に搭載された空調機器を操作するためのダイヤル式の回転式操作装置である。図５は、正面視した場合における回転式操作装置の一例を図であり、（ａ）は風向調節用、（ｂ）は風量調節用、（ｃ）は温度調節用の回転式操作装置を示す。
【００２４】
回転式操作装置は、表示板１１及びダイヤルノブ（回動操作体）１２を備えている。表示板１１は、円形状で、表面には周縁に沿って複数のアイコンが記されている。例えば、風向調節用の場合、温風又は冷風の吹き出し口を選択するためのアイコンが表示される（図５（ａ）参照）。ダイヤルノブ１２は、表示板１１と中心が一致した円筒状であり、周方向に回転する。ダイヤルノブ１２の表面の一部にはマーク１２ａが記されており、マーク１２ａを表示板１１のアイコンに合わせることで、各アイコンを選択するようになっている。なお、表示板１１のアイコン及びマーク１２ａは、内側から照射される光を透過可能に表示板１１及びダイヤルノブ１２の表面に形成されている。これにより、夜間であっても各アイコン及びマーク１２ａが視認できるようになっている。
【００２５】
図１及び図２は、実施形態１に係る回転式操作装置の構造を示す側面断面図である。図３は、回転式操作装置が有するギヤのみを示す斜視図である。なお、図１及び図２は、略９０度ずれた方向から見た側面断面図となっている。回転式操作装置は、表示板１１及びダイヤルノブ１２の他に、ベース１０、内筒１３、主ギヤ部１４、中間ギヤ（平歯車）１５、及び従ギヤ（第２歯車）１６等を備えている。
【００２６】
ベース１０は、一部が円筒状に突出して形成された第１支持部１０ａを有している。以下の説明において、突出した方向を上方と言う。第１支持部１０ａは、図２に示すように、側面の一部が他より厚くなっており、その部分に、上方が開口した筒状の穴１０ｃが形成されている。穴１０ｃには、コイルバネ１０ｄ及びプランジャー１０ｅが挿入されている。コイルバネ１０ｄは、外力が加えられたときに収縮し、外力がなくなったときに自然長に戻る。コイルバネ１０ｄは、プランジャー１０ｅが穴１０ｃから一部が突出するようにプランジャー１０ｅを下方から支持している。
【００２７】
第１支持部１０ａには、内筒１３が保持されている。内筒１３は、第１支持部１０ａの内径と略同じ外径を有した円筒であって、一端が開口し、他端が閉塞されている。そして、内筒１３は、閉塞された面（以下、閉塞面と言う）が上方となるように第１支持部１０ａの内周面により保持されている。このとき、内筒１３は、少なくとも穴１０ｃが形成された第１支持部１０ａの側面に接する部分が上下に滑り動くようになっている。
【００２８】
また、内筒１３は、閉塞面から下方に向かって突出した筒状の突出部１３ａが設けられている。突出部１３ａが設けられた閉塞面の部分は開口している。従って、突出部１３ａは、内筒１３の上方及び下方の空間を繋ぐ通路となっている。
【００２９】
内筒１３の閉塞面の上方には、図５で説明したようにアイコンが記された表示板（透光部）１１が設けられている。表示板１１は、内筒１３の突出部（導光部材）１３ａと重なる位置に貫通孔（図示せず）が形成されている。そして、この貫通孔及び突出部１３ａの内部には、レンズ（透光部）１７が嵌め込まれている。レンズ１７は、レンズ１７の下方に設けられた後述するＬＥＤ（Light-Emitting Diode）が発した光を透過する。レンズ１７は、前述のマーク１２ａと同じ位置に形成することで、マーク１２ａは、ＬＥＤ１７からの光により発光するようになる。また、表示板１１の各アイコンに対応させて突出部１３ａを複数形成し、各アイコンがＬＥＤ１７からの光により発光するようにしてもよい。
【００３０】
第１支持部１０ａ、内筒１３及び表示板１１には、主ギヤ部１４及びダイヤルノブ１２が嵌め込まれている。主ギヤ部１４は、略円筒状で、内周面が第１支持部１０ａの外周面に沿って摺り動き、周方向に回転し、上下方向に移動するようになっている。主ギヤ部１４は、円筒の中心軸を回転軸とした歯車（第１歯車）１４ａを有している。歯車１４ａは、図３に示すように、円環状で、下面の周縁に沿って複数の歯１４ｂが形成されている。複数の歯１４ｂは、後述の中間ギヤ１５と噛み合い、主ギヤ部１４の回転を中間ギヤ１５に伝達するようになっている。また、主ギヤ部１４は、歯車１４ａの下面の形成された歯１４ｂより内側部分で、穴１０ｃから一部が突出したプランジャー１０ｅと接触するようになっている。
【００３１】
ダイヤルノブ１２は、円筒状であって、一端が表示板１１の周縁に、他端が主ギヤ部１４にそれぞれ嵌め込まれており、表示板１１の周縁に沿って、主ギヤ部１４と共に周方向に回転するようになっている。ダイヤルノブ１２は、ユーザにより側面が摘まれて回転操作される。このとき、表示板１１及び内筒１３は回転しない。
【００３２】
表示板１１は、内筒１３の閉塞面の上方に設けられ、上述のように周縁にダイヤルノブ１２が嵌め込まれている。そして、表示板１１に下向きの力が加えられた場合、内筒１３の一部が下方に滑り動くと共に、ダイヤルノブ１２及び主ギヤ部１４も下方に移動する。このとき、主ギヤ部１４の歯車１４ａに接触するプランジャー１０ｅは、主ギヤ部１４によりコイルバネ１０ｄを縮めながら押し下げられる。表示板１１への下向きの力がなくなったとき、プランジャー１０ｅは、収縮したコイルバネ（付勢手段）１０ｄの復元力によりが押し上げられ、それに伴い、内筒１３、主ギヤ部１４及びダイヤルノブ１２も押し上げられ、元の位置に戻るようになっている。このように、回転式操作装置は、プッシュ操作が可能に構成されている。
【００３３】
ベース１０は、第１支持部１０ａの側方で中間ギヤ１５を回転自在に支持している。中間ギヤ１５は、外周面に複数の歯が形成された円盤状の平歯車であって、回転軸が主ギヤ部１４の回転軸と直交するように、ベース１０の上面側で支持されている。なお、ベース１０には、貫通する溝１０ｂが形成されており、中間ギヤ１５は、円盤の半円部分が形成された溝１０ｂを介して下面側に突出するように支持されている。このように支持される中間ギヤ１５は、図３に示すように、外周面で歯車１４ａの歯１４ｂと噛み合い、歯車１４ａと連動して回転するようになっている。
【００３４】
ベース１０は、下方に回路基板２０を支持している。回転基板２０は、ベース１０と反対側に従ギヤ１６を回転可能に支持している。従ギヤ１６は、回転軸１６ｂを有し、円盤状の一面の周縁に沿って複数の歯１６ａが形成されている。回路基板２０は、歯１６ａが形成された面が上方となるよう、回転軸１６ｂを支持している。また、回路基板２０の一部には、貫通する溝２０ａが形成されており、中間ギヤ１５の一部が溝２０ａから下方に突出するようになっている。そして、図３に示すように、溝２０ａから突出した中間ギヤ１５と、従ギヤ１６の歯１６ａとが噛み合い、中間ギヤ１５の回転に連動して従ギヤ１６が回転するようになっている。
【００３５】
回転基板２０は、回転軸１６ｂが接続された回転検出センサ（検出手段）２１を有している。回転検出センサ２１は、中心にＤ字又はＴ字状にカットされた穴（図示せず）を有しており、回転軸１６ｂは、斯かる穴に差し込むようになっている。そして、回転軸１６ｂが回転することで穴も回転し、それにより回転検出センサ２１は、従ギヤ１６の回転角を検出する。
【００３６】
また、回路基板２０は、ＬＥＤ（発光体）２２及びプッシュスイッチ２３等を有している。ＬＥＤ２２は、レンズ１７の下方となる位置に設けられている。そして、ＬＥＤ２２が発した光は、レンズ１７を通り表示板１１の上方に照射されるようになっている。プッシュスイッチ２３は、上下に滑り動く内筒１３の縁部の下方となる位置に設けられている。そして、上述のように表示板１１に下向きの力が加えられた場合、内筒１３の一部が下方に滑り動き、その動いた内筒１３の一部によりプッシュスイッチ２３が押圧されるようになっている。
【００３７】
このように、従ギヤ１６を回路基板２０の下方で支持し、中間ギヤ１５により主ギヤ部１４と従ギヤ１６とが連動して回転するように構成することで、主ギヤ部１４と従ギヤ１６との間にスペースを設けることができる。主ギヤ部１４の回転角を直接検出する場合、主ギヤ部１４周辺に回転検出センサを設ける必要があるため、ＬＥＤ２２及びプッシュスイッチ２３等の配置が制限される場合がある。このため、主ギヤ部１４の周囲にスペースを設けることで、ＬＥＤ２２及びプッシュスイッチ２３の自由な配置が可能となる。
【００３８】
以上のように構成される回転式操作装置において、ユーザによりダイヤルノブ１２が回転されることにより、主ギヤ部１４も同時に回転する。主ギヤ部１４が回転した場合、主ギヤ部１４が有する歯車１４ａも回転し、それに伴い歯車１４ａに噛み合う中間ギヤ１５も回転する。中間ギヤ１５が回転することにより従ギヤ１６も回転し、回転検出センサ２１が従ギヤ１６の回転軸１６ｂの回転角を検出することで、回路基板２０上の図示しないＣＰＵ等は、検出した回転角及びギヤ比等に基づいて、歯車１４ａの回転角、即ち、ダイヤルノブ１２の回転角を取得する。これにより、ＣＰＵ等は、取得したダイヤルノブ１２の回転角から、ユーザがダイヤルノブ１２により表示板１１のどのアイコンを選択したかを判定することができ、選択されたアイコンに対応する処理を実行する。
【００３９】
また、ユーザにより表示板１１が押圧された場合、上述のように内筒１３によりプッシュスイッチ２３が押圧される。これにより、回転式操作装置を、例えば空調機器のオンオフ操作を行う押しボタンスイッチとして機能させることができる。
【００４０】
なお、本実施形態１では、歯車１４ａ、中間ギヤ１５及び従ギヤ１６は平歯車として説明しているが、傘歯車であってもよい。図４は、回転式操作装置が有するギヤが傘歯車の場合を示す斜視図である。図４の歯車３１及び中間ギヤ３２は、歯車１４ａ及び中間ギヤ１５に相当する。また、従ギヤ３３は、従ギヤ１６に相当し、回転軸３３ａを有しており、回転軸３３ａが回転検出センサ２１（図１参照）に接続されている。歯車３１、中間ギヤ３２及び従ギヤ３３は、それぞれ略円錐台の形状を有しており、テーパー面には複数の歯が形成されている。そして、各歯が噛み合うことで歯車３１、中間ギヤ３２及び従ギヤ３３が回転する。このように、全歯車を傘歯車とすることで、噛み合わせのずれを防止でき、確実に回転を伝達することができる。
【００４１】
（実施形態２）
次に、本発明の実施形態２について説明する。実施形態１では、回転角を検出する従ギヤ１６を、中間ギヤ１５を介して主ギヤ部１４に接続しているが、実施形態２では、従ギヤ１６を直接主ギヤ部１４に接続している。以下の説明では、実施形態１と同じ部材については同じ符号を付し説明は省略する。
【００４２】
図６は、実施形態２に係る回転式操作装置の構造を示す側面断面図である。
【００４３】
実施形態２では、実施形態１の中間ギヤ１５と同様に、外周面に複数の歯が形成された円盤状の歯車である従ギヤ１８が第１支持部１０ａの側方で回転自在に支持されている。従ギヤ１８は、ベース１０に形成された溝１０ｂを介して下面側に突出し、さらに一部が、回路基板２０に形成された溝２０ａから回路基板２０の下方にさらに突出するように支持されている。このように支持される従ギヤ１８は、外周面で、歯車１４ａと噛み合い、歯車１４ａの回転に連動して回転するようになっている。
【００４４】
ベース１０には、溝１０ｂと隣接する位置に貫通する溝１０ｆがさらに形成されている。溝１０ｆには、回転検出センサ２４が挿入されている。回転検出センサ２４は、Ｄ字又はＴ字状にカットされた穴（図示せず）を有しており、この穴がベース１０から上方に突出するよう回路基板２０に設けられている。そして、突出した穴に従ギヤ１８が有する回転軸１８ａが差し込まれている。差し込まれた回転軸１８ａが回転することで穴も回転し、それにより回転検出センサ２４は、従ギヤ１８の回転角を検出する。
【００４５】
上述のように構成される回転式操作装置において、ユーザによりダイヤルノブ１２が回転されることにより、主ギヤ部１４も同時に回転する。主ギヤ部１４が回転した場合、主ギヤ部１４が有する歯車１４ａも回転し、それに伴い歯車１４ａに噛み合う従ギヤ１８も回転し、回転検出センサ２４が従ギヤ１８の回転軸１８ａの回転角を検出することで、回路基板２０上の図示しないＣＰＵ等は、検出した回転角及びギヤ比等に基づいて、歯車１４ａの回転角、即ち、ダイヤルノブ１２の回転角を取得する。
【００４６】
このように、実施形態２では、実施形態１と同様に主ギヤ部１４の周囲にスペースを設けることができるため、回転操作装置の自由な設計が可能となる。
【００４７】
以上、本発明の好適な実施形態について、具体的に説明したが、上述の実施形態に限定されることはない。例えば、実施形態１では、中間ギヤ１５を平歯車として、円盤状の歯車１４ａ及び従ギヤ１６の一面に歯を形成しているが、歯車１４ａ及び従ギヤ１６を平歯車として、中間ギヤ１５を一面に歯を形成した円盤状としてもよい。また、実施形態１では、主ギヤ部１４の歯車１４ａと従ギヤ１６とを、回転軸が一直線上となるように平行配置しているが、回転軸を同方向にして、歯車１４ａと従ギヤ１６とを水平方向にずらして配置するようにしてもよい。その他、各構成及び動作等は適宜変更可能である。
【符号の説明】
【００４８】
１４  主ギヤ部
１４ａ  歯車（第１歯車）
１５  中間ギヤ（平歯車）
１６  従ギヤ（第２歯車）
１８  従ギヤ（第２歯車）
２１，２４  回転検出センサ（検出手段）
【図１】
2010257774.tif 000003
【図２】
2010257774.tif 000004
【図３】
2010257774.tif 000005
【図４】
2010257774.tif 000006
【図５】
2010257774.tif 000007
【図６】
2010257774.tif 000008